(57)【要約】  【課題】  映像ソース信号に対する複雑な処理を行なわなくとも、品位の高い映像信号を容易に得ることのできる表示装置を提供する。  【解決手段】  映像信号に基づいて複数の視方向に対する個別の映像を同一画面上に表示可能な表示部７と、前記表示部７を構成する表示画素のうち所定の第一方向に沿って配列された表示画素の画素数の１／ｎ（ｎ：正の整数）以下の画素数で構成される映像ソース信号の各画素を前記第一方向に沿って所定間隔で分散配列して前記映像信号を生成する映像信号生成部２００，２０７，２０８，２０９，２１１を備える。  【選択図】  図６
2006195415.tif 000002
【特許請求の範囲】
【請求項１】
映像信号に基づいて複数の視方向に対する個別の映像を同一画面上に表示可能な表示部と、前記表示部を構成する表示画素のうち所定の第一方向に沿って配列された表示画素の画素数よりも少ない画素数で構成される映像ソース信号の各画素を前記第一方向に沿って所定間隔で分散配列して前記映像信号を生成する映像信号生成部を備えて構成される表示装置。
【請求項２】
映像信号に基づいて複数の視方向に対する個別の映像を同一画面上に表示可能な表示部と、前記表示部を構成する表示画素のうち所定の第一方向に沿って配列された表示画素の画素数の１／ｎ（ｎ：視方向の数であり、正の整数）以下の画素数で構成される映像ソース信号の各画素を前記第一方向に沿って所定間隔で分散配列して前記映像信号を生成する映像信号生成部を備えて構成される表示装置。
【請求項３】
映像信号に基づいて複数の視方向に対する個別の映像を同一画面上に表示可能な表示部と、前記表示部を構成する表示画素のうち所定の第一方向に沿って配列された表示画素の画素数よりも少ない画素数で構成される映像ソース信号の各画素を前記第一方向に沿って所定間隔で分散配列して前記映像信号を生成し、または、前記表示部を構成する表示画素のうち所定の第一方向に沿って配列された表示画素の画素数以上の画素数で構成される映像ソース信号の各画素を前記第一方向に沿って圧縮処理した後に所定間隔で分散配列して前記映像信号を生成するように切替可能な映像信号生成部を備えて構成される表示装置。
【請求項４】
前記映像信号生成部は、複数の映像ソース信号の前記第一方向に沿った各画素を所定順序で交互に配列し、各画素の三原色成分が対応する表示画素の三原色成分の配列に対応するように配列する請求項１から３の何れかに記載の表示装置。
【請求項５】
前記映像信号生成部は、前記表示部を構成する表示画素のうち前記第一方向と交差する第二方向に沿って配列された表示画素の画素数よりも少ない画素数で構成される映像ソース信号の各画素を前記第二方向に沿って所定間隔で分散配列するとともに、配列された画素間に補間画素を充填配列する請求項１から４の何れかに記載の表示装置。
【請求項６】
前記補間画素が前記映像ソース信号に基づいて生成される請求項５記載の表示装置。
【請求項７】
前記表示部を構成する表示画素のうち前記第一方向と交差する第二方向に沿って配列された表示画素の画素数が映像ソース信号の対応する画素数と等しい請求項１から４の何れかに記載の表示装置。
【請求項８】
少なくとも所定の第一方向画素数が等しいｎ（ｎ：視方向の数であり、正の整数）系統の映像ソース信号から生成された映像信号が入力され、複数の視方向に異なる系統の映像を同時に表示可能な視方向制御部を備えた表示装置であって、
前記映像信号の第一方向画素数が前記映像ソース信号の第一方向画素数のｎ倍で構成され、少なくとも前記映像信号の第一方向画素数以上の画素数の表示画素を第一方向に対応して備えてある表示装置。
【請求項９】
前記映像信号は、前記ｎ系統の各映像ソース信号を構成する各画素データが前記第一方向に所定順序で交互に配列され、各画素データの三原色成分が、対応する表示画素の三原色成分の配列に対応するように配列される映像信号生成部を設けてある請求項８記載の表示装置。
【請求項１０】
前記映像信号の第一方向に交差する第二方向の画素数が前記映像ソース信号の第二方向の画素数のｎ倍で構成され、少なくとも前記映像信号の第二方向画素数以上の表示画素数を第二方向に対応して備えてある請求項８または９記載の表示装置。
【請求項１１】
前記映像信号の第二方向画素データの一部を、前記映像ソース信号の画素データに基づいて生成する映像信号生成部を設けてある請求項１０記載の表示装置。
【請求項１２】
前記映像信号生成部は、前記映像ソース信号の第二方向に隣接する画素データの間に新たな画素データを補間生成する請求項１１記載の表示装置。
【請求項１３】
前記映像ソース信号の少なくとも一つがナビゲーション装置から出力される地図データである請求項１から１２の何れかに記載の表示装置。
【請求項１４】
映像信号に基づいて複数の視方向に対する個別の映像を同一画面上に表示可能な表示部に映像を表示させる表示方法であって、前記表示部を構成する表示画素のうち所定の第一方向に沿って配列された表示画素の画素数よりも少ない画素数で構成される映像ソース信号の各画素を前記第一方向に沿って所定間隔で分散配列して生成した映像信号により前記表示部に映像を表示させる表示方法。
【請求項１５】
映像信号に基づいて複数の視方向に対する個別の映像を同一画面上に表示可能な表示部に映像を表示させる表示方法であって、前記表示部を構成する表示画素のうち所定の第一方向に沿って配列された表示画素の画素数の１／ｎ（ｎ：正の整数）以下の画素数で構成される映像ソース信号の各画素を前記第一方向に沿って所定間隔で分散配列して生成した映像信号により前記表示部に映像を表示させる表示方法。
【請求項１６】
映像信号に基づいて複数の視方向に対する個別の映像を同一画面上に表示可能な表示部に映像を表示させる表示方法であって、前記表示部を構成する表示画素のうち所定の第一方向に沿って配列された表示画素の画素数よりも少ない画素数で構成される映像ソース信号の各画素を前記第一方向に沿って所定間隔で分散配列して前記映像信号を生成し、または、前記表示部を構成する表示画素のうち所定の第一方向に沿って配列された表示画素の画素数以上の画素数で構成される映像ソース信号の各画素を前記第一方向に沿って圧縮処理した後に所定間隔で分散配列して生成した映像信号により前記表示部に映像を表示させる表示方法。
【請求項１７】
前記映像信号は、複数の映像ソース信号の前記第一方向に沿った各画素を所定順序で交互に配列され、各画素の三原色成分が対応する表示画素の三原色成分の配列に対応するように配列される請求項１４から１６の何れかに記載の表示方法。
【請求項１８】
前記映像信号は、前記表示部を構成する表示画素のうち前記第一方向と交差する第二方向に沿って配列された表示画素の画素数よりも少ない画素数で構成される映像ソース信号の各画素を前記第二方向に沿って所定間隔で分散配列されるとともに、配列された画素間に補間画素を充填配列される請求項１４から１７の何れかに記載の表示方法。
【請求項１９】
前記補間画素が前記映像ソース信号に基づいて生成される請求項１８記載の表示方法。
【発明の詳細な説明】
【技術分野】
【０００１】
本発明は、複数の映像ソース信号から合成された映像信号に基づいて複数の視方向に対する個別の映像を同一画面上に表示可能な表示部を備えた表示装置に関する。
【背景技術】
【０００２】
これまでの主なディスプレイの開発は、観察者がディスプレイをどの方向から観察しても同じ良好な画質で見ることができるように、或いは、複数の観察者が同時に同じ情報を得ることができるように最適化されてきた。しかし、個々の観察者が同じディスプレイからの異なる情報を見ることができることが望ましい用途が数多くある。例えば、自動車の中で、ドライバーは衛星ナビゲーションデータを見ることを望み、隣席の同乗者は車載ＤＶＤやテレビチューナの映像を見ることを望むという場合がある。このような例において２つのディスプレイが用いられる場合には、余分な場所をとりコストを増大させるという問題がある。
【０００３】
そこで近年、下記特許文献１及び特許文献２に示すように、一台の液晶ディスプレイで二画面を同時に表示することができ、例えば、運転席と助手席とから夫々異なる画面を見ることができる表示装置が開示されている。また、下記特許文献３及び４に示すように、二種類の映像を、同時に同一画面に表示することができる二画面表示装置が開示されている。
【０００４】
上述のマルチビュー表示装置は、一画面で複数の映像を表示するため、前記マルチビュー表示装置の表示画素数に対応して各方向に映像表示する映像ソース信号から所定のデータを間引く等の圧縮処理が行なわれる。例えば図２１に示すように、Ｒ、Ｇ、Ｂのサブピクセル３つを１単位とした画素において、表示画面（表示方向）２への入力信号が１画素毎に黒、白とを交互に表示させる映像信号であった場合、表示画面２での映像表示は、前記映像信号が各方向に表示するためのサブピクセルに対応して順次間引かれると、白表示するためのＧ成分が常に間引かれるため、マゼンタ色の表示となってしまう等の問題もあった。そこで、各Ｒ、Ｇ、Ｂにおける入力信号において、偶数番目と奇数番目の入力信号とその後続の入力信号を比較し、補正入力信号を生成後に間引き処理を行なうといった処理等を行なうことが考えられる。
【特許文献１】特開平６-１８６５２６号公報
【特許文献２】特開２０００-１３７４４３号公報
【特許文献３】特開平１１-３３１８７６号公報
【特許文献４】特開平０９-４６６２２号公報
【特許文献５】特開２００４−２０６０８９号公報
【発明の開示】
【発明が解決しようとする課題】
【０００５】
しかし、上述の圧縮処理を行なえば、本来の画素データが失われるために表示部に表示される映像の品位が劣化することとなるばかりか、圧縮処理のための複雑な制御回路が必要となりコストが嵩むという問題があった。また、補正入力信号を生成して間引きを行なえば、表示品位を向上させることができるが、煩雑な処理が必要となるという問題もあった。
【０００６】
本発明の目的は、上述の問題点に鑑み、映像ソース信号に対する複雑な処理を行なわなくとも、品位の高い映像信号を容易に得ることのできる表示装置を提供する点にある。
【課題を解決するための手段】
【０００７】
上述の目的を達成するため、本発明による表示装置の第一の特徴構成は、映像信号に基づいて複数の視方向に対する個別の映像を同一画面上に表示可能な表示部と、前記表示部を構成する表示画素のうち所定の第一方向に沿って配列された表示画素の画素数よりも少ない画素数で構成される映像ソース信号の各画素を前記第一方向に沿って所定間隔で分散配列して前記映像信号を生成する映像信号生成部を備えて構成される点にある。
【０００８】
複数の視方向に対する映像ソース信号から映像信号を合成する際に、少なくとも所定の第一方向に配列された表示部の表示画素に各映像ソース信号の第一方向に沿った画素を所定間隔で割り付けるように配列する必要があるが、上述の構成によれば、映像ソース信号の第一方向に沿った画素数が表示画素の画素数よりも少ないため、映像信号を生成する際に、映像ソース信号の第一方向に沿った画素を間引き等の圧縮処理を行なう必要が無い。従って、そのような映像信号で表示される映像の品位は、従来の圧縮処理された映像信号と比較して十分に高品位に保つことができるのであり、しかも、圧縮処理を行なうためのハードウェア等の部品も不要となり、コストの低減に寄与しうるのである。
【０００９】
同第二の特徴構成は、映像信号に基づいて複数の視方向に対する個別の映像を同一画面上に表示可能な表示部と、前記表示部を構成する表示画素のうち所定の第一方向に沿って配列された表示画素の画素数の１／ｎ（ｎ：視方向の数であり、正の整数）以下の画素数で構成される映像ソース信号の各画素を前記第一方向に沿って所定間隔で分散配列して前記映像信号を生成する映像信号生成部を備えて構成される点にある。
【００１０】
つまり、映像ソース信号の第一方向に沿った画素数が表示画素数の１／ｎ以下であれば、少なくともｎ系統の映像ソース信号から映像品位の劣化しない映像信号を生成でき、表示部の同一画面上にｎ数の視方向に対する個別の映像を表示させることができるようになる。
【００１１】
同第三の特徴構成は、映像信号に基づいて複数の視方向に対する個別の映像を同一画面上に表示可能な表示部と、前記表示部を構成する表示画素のうち所定の第一方向に沿って配列された表示画素の画素数よりも少ない画素数で構成される映像ソース信号の各画素を前記第一方向に沿って所定間隔で分散配列して前記映像信号を生成し、または、前記表示部を構成する表示画素のうち所定の第一方向に沿って配列された表示画素の画素数以上の画素数で構成される映像ソース信号の各画素を前記第一方向に沿って圧縮処理した後に所定間隔で分散配列して前記映像信号を生成するように切替可能な映像信号生成部を備えて構成される点にある。
【００１２】
上述の構成によれば、第一方向に沿った画素数が如何なる値の映像ソース信号であっても、適切に映像信号を生成することができるようになる。つまり、第一方向に沿った画素数が表示画素の画素数より少なければ圧縮処理を行なわずに映像信号を生成することにより高品位な映像を確保でき、第一方向に沿った画素数が表示画素の画素数以上であれば適切に圧縮処理を行なって映像信号を生成することにより品位は劣化するが確実に映像信号を生成できるようになる。
【００１３】
同第四の特徴構成は、上述の第一から第三の何れかの特徴構成に加えて、前記映像信号生成部は、複数の映像ソース信号の前記第一方向に沿った各画素を所定順序で交互に配列し、各画素の三原色成分が対応する表示画素の三原色成分の配列に対応するように配列する点にある。
【００１４】
表示画素は赤、緑、青の夫々のサブピクセルで一画素が構成され、映像ソース信号はその画素データが赤、緑、青の夫々の成分データで構成される。複数の映像ソース信号の画素を配列して映像信号を生成する際に、表示画素のサブピクセルの配列に対して映像ソース信号の成分データの配列が整合しなければ、そのような映像信号により表示される映像は色の再現性が失われる虞がある。そこで、各画素の三原色成分が対応する表示画素の三原色成分の配列に対応するように配列することにより、色の再現性を確保できるようになるのである。
【００１５】
同第五の特徴構成は、上述の第一から第四の何れかの特徴構成に加えて、前記映像信号生成部は、前記表示部を構成する表示画素のうち前記第一方向と交差する第二方向に沿って配列された表示画素の画素数よりも少ない画素数で構成される映像ソース信号の各画素を前記第二方向に沿って所定間隔で分散配列するとともに、配列された画素間に補間画素を充填配列する点にある。
【００１６】
映像ソース信号の第一方向に沿った画素が表示画素の第一方向に沿って所定間隔で分散配置されるので、第一方向と交差する第二方向に沿って映像ソース信号をそのまま配列すると、そのような映像信号によって表示される映像は、当該映像ソース信号の第一方向と第二方向の比（例えば、第一方向が水平方向、第二方向が垂直方向とすると映像の縦横比）と異なったものとなり、違和感が生じることになる。上述の構成によれば、第二方向に沿って映像ソース信号の画素を分散配列して、その間を補間画素で充填配列するので、映像信号により表示される映像の第一方向と第二方向の比を、映像ソース信号の比と同等に設定することができるようになり、違和感を低減させることができるようになる。
【００１７】
同第六の特徴構成は、上述の第五の特徴構成に加えて、前記補間画素が前記映像ソース信号に基づいて生成される点にあり、補間画素が充填された映像信号による映像はオリジナルの映像ソース信号と近い自然な映像となる。
【００１８】
同第七の特徴構成は、上述の第一から第四の何れかの特徴構成に加えて、前記表示部を構成する表示画素のうち前記第一方向と交差する第二方向に沿って配列された表示画素の画素数が映像ソース信号の対応する画素数と等しい点にある。
【００１９】
同第八の特徴構成は、少なくとも所定の第一方向画素数が等しいｎ（ｎ：視方向の数であり、正の整数）系統の映像ソース信号から生成された映像信号が入力され、複数の視方向に異なる系統の映像を同時に表示可能な視方向制御部を備えたマルチビュー表示装置であって、前記映像信号の第一方向画素数が前記映像ソース信号の第一方向画素数のｎ倍で構成され、少なくとも前記映像信号の第一方向画素数以上の画素数の表示画素を第一方向に対応して備えてある点にある。
【００２０】
上述の構成とすることにより、映像信号は、ｎ系統の映像ソース信号を用いて第一方向に特定の映像ソース信号と比較してｎ倍に伸長することができる。つまり、前記映像ソース信号から所定のデータを間引く等といった処理が不要となり、第一方向の画素数に対応するように前記映像信号を容易に生成することができるのである。また、前記映像信号は、全ての映像ソース信号に対応する表示画素が確保されているため、表示品位の高い映像を表示するマルチビュー表示装置を提供することが可能となるのである。
【００２１】
同第九の特徴構成は、上述の第八特徴構成に加えて、前記映像信号は、前記ｎ系統の各映像ソース信号を構成する各画素データが前記第一方向に所定順序で交互に配列され、各画素データの三原色成分が、対応する表示画素の三原色成分の配列に対応するように配列される映像信号生成部を設けてある点にある。
【００２２】
上述の構成とすることにより、映像信号は、ｎ系統の映像ソース信号を構成する各画素データの三原色成分を夫々表示画素が備える三原色成分に対応するように前記映像ソース信号を第一方向に伸長させて生成されるため、表示品位の高い映像を表示するマルチビュー表示装置を提供することが可能となるである。
【００２３】
同第十の特徴構成は、上述の第八または第九の特徴構成に加えて、前記映像信号の第一方向に交差する第二方向の画素数が前記映像ソース信号の第二方向の画素数のｎ倍で構成され、少なくとも前記映像信号の第二方向画素数以上の表示画素数を第二方向に対応して備えてある点にある。
【００２４】
上述の構成とすることにより、第一方向に映像が伸長したものに対し、第二方向においても第一方向に伸長した割合だけ映像を伸長させることができるので、映像ソース信号の系統数にかかわらず、縦横比を一定とした映像を表示することが可能となるのである。
【００２５】
同第十一の特徴構成は、上述の第十の特徴構成に加えて、前記映像信号の第二方向画素データの一部を、前記映像ソース信号の画素データに基づいて生成する映像信号生成部を設けてある点にある。
上述の構成とすることにより、映像が第二方向へ伸長されることにより生じる不足分の画素データを補うことができ、より表示品位の高いマルチビュー表示装置を提供することが可能となるである。
【００２６】
同第十二の特徴構成は、上述の第十一の特徴構成に加えて、前記映像信号生成部は、前記映像ソース信号の第二方向に隣接する画素データの間に新たな画素データを補間生成する点にある。
【００２７】
上述の構成とすることにより、ムラなく新たな画素データを補間するため、映像表示においてもムラの生じないマルチビュー表示装置を提供することが可能となるである。
【００２８】
同第十三の特徴構成は、上述の第一から第十二の何れかの特徴構成に加えて、前記映像ソース信号の少なくとも一つがナビゲーション装置から出力される地図データである点にある。
【００２９】
本発明による表示方法の第一の特徴構成は、映像信号に基づいて複数の視方向に対する個別の映像を同一画面上に表示可能な表示部に映像を表示させる表示方法であって、前記表示部を構成する表示画素のうち所定の第一方向に沿って配列された表示画素の画素数よりも少ない画素数で構成される映像ソース信号の各画素を前記第一方向に沿って所定間隔で分散配列して生成した映像信号により前記表示部に映像を表示させる点にある。
【００３０】
同第二の特徴構成は、映像信号に基づいて複数の視方向に対する個別の映像を同一画面上に表示可能な表示部に映像を表示させる表示方法であって、前記表示部を構成する表示画素のうち所定の第一方向に沿って配列された表示画素の画素数の１／ｎ（ｎ：正の整数）以下の画素数で構成される映像ソース信号の各画素を前記第一方向に沿って所定間隔で分散配列して生成した映像信号により前記表示部に映像を表示させる点にある。
【００３１】
同第三の特徴構成は、映像信号に基づいて複数の視方向に対する個別の映像を同一画面上に表示可能な表示部に映像を表示させる表示方法であって、前記表示部を構成する表示画素のうち所定の第一方向に沿って配列された表示画素の画素数よりも少ない画素数で構成される映像ソース信号の各画素を前記第一方向に沿って所定間隔で分散配列して前記映像信号を生成し、または、前記表示部を構成する表示画素のうち所定の第一方向に沿って配列された表示画素の画素数以上の画素数で構成される映像ソース信号の各画素を前記第一方向に沿って圧縮処理した後に所定間隔で分散配列して生成した映像信号により前記表示部に映像を表示させる点にある。
【００３２】
同第四の特徴構成は、上述の第一から第三特徴構成の何れかに加えて、前記映像信号は、複数の映像ソース信号の前記第一方向に沿った各画素を所定順序で交互に配列され、各画素の三原色成分が対応する表示画素の三原色成分の配列に対応するように配列される点にある。
【００３３】
同第五の特徴構成は、上述の第一から第四特徴構成の何れかに加えて、前記映像信号は、前記表示部を構成する表示画素のうち前記第一方向と交差する第二方向に沿って配列された表示画素の画素数よりも少ない画素数で構成される映像ソース信号の各画素を前記第二方向に沿って所定間隔で分散配列されるとともに、配列された画素間に補間画素を充填配列される点にある。
【００３４】
同第五の特徴構成は、上述の第五の特徴構成に加えて、前記補間画素が前記映像ソース信号に基づいて生成される点にある。
【発明の効果】
【００３５】
以上説明した通り、本発明によれば、映像ソース信号に対する複雑な処理を行なわなくとも、品位の高い映像信号を容易に得ることのできる表示装置を提供することができるようになった。
【発明を実施するための最良の形態】
【００３６】
以下、本発明を具現化する表示装置の基本的な実施の形態を図面に従って説明する。但し、本発明の技術的範囲は以下に記載する実施の形態に限定されず、特許請求の範囲に記載された発明とその均等物に及ぶものである。
【００３７】
図１は、本発明に係わるマルチビュー表示装置（以下、単に「表示装置」と記す。）の概念図である。図中、１は第１の映像ソース、２は第２の映像ソース、３は第１の映像ソースからの第１の画像データ、４は第２の映像ソースからの第２の画像データ、５は表示制御手段、６は表示データ、７は表示部（例えば液晶パネル等）、８は第１の映像ソース１に基づく第１の表示画像、９は第２の映像ソース２に基づく第２の表示画像、１０は表示部７に対して左側に位置する観察者（利用者）、１１は表示部７に対して右側に位置する観察者（利用者）である。
【００３８】
図1の概念図は、表示部７に対する観察者１０、１１の相対的位置に応じて、換言すれば表示部７に対する視野角に応じて、観察者１０は第１の表示画像８を、観察者１１は第２の表示画像９を実質的に同時に見ることができ、しかも各々の表示画像８、９は表示部７の表示面全体に渡ってみることができることを概念的に示すものである。図１において、第１の映像ソース１は例えばＤＶＤプレーヤの映画画像やテレビ受信機の受信画像等、第２の映像ソース２は例えばカーナビゲーション装置の地図やルート案内画像等であり、それぞれの第１の映像データ３及び第２の映像データ４は表示制御手段５に供給され、それらが表示部７で実質的に同時に表示できるように処理される。
【００３９】
表示制御手段５から表示データ６が供給される表示部７は、後述する視差バリアを備えた液晶パネル等で構成される。表示部７の横方向の総画素の半数が第１の映像ソース１に基づく第１の表示画像８の表示に、残りの半数の画素が第２の映像ソース２に基づく第２の表示画像９の表示に使用される。表示部７に対して左側に位置する観察者１０には、第１の表示画像８に対応する画素のみが見え、第２の表示画像９は表示部７の表面に形成されている視差バリアによって遮られて実質的に見えない。一方、表示部７に対して右側に位置する観察者１１には、第２の表示画像９に対応する画素のみが見え、第１の表示画像８は視差バリアにより遮られて実質的に見えない。尚、視差バリアについては、例えば、特開平１０−１２３４６１号公報、特開平１１−８４１３１号公報に開示された構成を応用できる。
【００４０】
このような構成により、単一の画面で左右の利用者に異なる情報やコンテンツを提供することができる。もちろん、第１、第２の映像ソースが同じであれば、従来通り左右の利用者が同じ画像を見ることもできる。
【００４１】
図２は、本発明に係る表示装置の車両への搭載例を示す斜視図である。図中、１２は助手席、１３は運転席、１４はウインドシールド、１５は操作部、１６はスピーカである。
【００４２】
図１の表示装置の表示部７は、例えば図２に示すように、運転席１３と助手席１２とのほぼ中央のダッシュボード部分に配置される。表示装置に対する各種操作は、表示部７の表面に一体的に形成したタッチパネル（図示せず）や操作部１５又は、赤外線又は無線リモートコントローラ（図示せず）の操作によって行われる。車両の各ドアにはスピーカ１６が配置され、表示画像に連動した音声や警告音等が出力される。
【００４３】
運転席１３に図１の観察者１１が、助手席１２には観察者１０が座る。表示部７に対する第１視方向（運転席側）から見ることができる画像は例えばカーナビゲーション装置の地図等の画像であり、実質的に同時に第２視方向（助手席側）から見ることができる画像は例えばテレビ受信画像やＤＶＤムービー画像である。従って、運転席１３の運転者がカーナビゲーションによる運転支援を受けるのと同時に助手席１２の同乗者はテレビやＤＶＤを楽しむことができる。しかもそれぞれの画像は例えば７インチの画面全体を使用して表示されるため、従来のマルチウインドウ表示のように画面サイズが小さくなることもない。つまり、運転者、同乗者にとっては、あたかも各々に独立した専用のディスプレイがあるかの如く、それぞれに最適な情報やコンテンツが提供されるのである。
【００４４】
図３は、表示部７の断面構造の概略図である。図中、１００は液晶パネル、１０１はバックライト、１０２は液晶パネルのバックライト側に設置された偏光板、１０３は液晶パネルの発光方向側の前面に配置された偏光板、１０４はＴＦＴ(Thin Film Transistor)基板、１０５は液晶層、１０６はカラーフィルタ基板、１０７はガラス基板、１０８は視差バリアである。液晶パネル１００は、ＴＦＴ基板１０４とそれに対向して配置されるカラーフィルタ基板１０６の間に液晶層１０５を挟持した一対の基板と、その発光方向側の前面に配置された視差バリア１０８とガラス基板１０７とを、２枚の偏光板１０２・１０３の間に挟んだ構成となっており、バックライト１０１からやや離隔して配設される。また、液晶パネル１００は、ＲＧＢ色（三原色）で構成される画素を有する。
【００４５】
液晶パネル１００の各画素は、左側（助手席側）表示用と、右側（運転席側）表示用に分けられて表示制御される。そして、左側（助手席側）表示用画素は、視差バリア１０８により右側（運転席側）への表示は遮断され、左側（助手席側）からは見えるようになっている。また、右側（運転席側）表示用画素は、視差バリア１０８により左側（助手席側）への表示が遮断され、右側（運転席側）からは見えるようになっている。これによって、運転者と同乗者に異なった表示を提供することが可能となる。つまり、運転者にはナビゲーションの地図情報を与え、同時に同乗者にはＤＶＤの映画等を見せることが可能となる。なお、視差バリア１０８、前記液晶パネルの各画素の構成を変更すれば、３方向等、複数方向に異なった画像を表示する構成も可能である。また、視差バリア自体を電気的に駆動可能な液晶シャッタ等で構成して視野角を可変するようにしてもよい。
【００４６】
図４は、表示パネルを正面から見た構造の概略図であり、図３は図４中のＡ−Ａ′断面である。図中、１０９は左側（助手席側）表示用の画素、１１０は右側（運転席側）表示用の画素である。図３及び図４は、例えば横方向に８００画素、縦方向に４８０画素並べられた液晶パネル１００の一部を表す。左側（助手席側）表示用の画素１０９と右側（運転席側）表示用の画素１１０は縦方向にグループ化され、交互に並んでいる。視差バリア１０８は、横方向にある間隔で配置され、縦方向には一様である。これによって、左側から表示パネルを見ると、視差バリア１０８が右側用画素１１０を覆い隠して、左側用画素１０９が見える。また同様に右側から見ると、視差バリア１０８が左側用画素１０９を覆い隠して、右側用画素１１０が見える。さらに正面付近では、左側用画素１０９と右側用画素１１０の両方が見えるため、左側表示画像と右側表示画像とが実質的に重なって見える。ここで、図４中の交互に並んだ左側用画素１０９及び右側用画素１１０は、図３のようにＲＧＢ色を有しているが、各グループ縦方向内は、Ｒ列、Ｇ列、Ｂ列のように単色で構成されていてもよいし、ＲＧＢが複数混じった列として構成されていてもよい。
【００４７】
具体的には、例えば、前記表示部７において、右側（運転席側）と左側（助手席側）の二つの視方向に異なる映像を表示させるためには、夫々の映像に対応するソース信号を構成する８００×４８０の画素を４００×４８０の画素に水平方向に圧縮することで、前記表示部７の画素数である８００×４８０に対応した映像信号にするように構成できる。このとき、図１０に示すように、運転席側のソース信号については本来映像を表示すべきソース信号のうち奇数列のソース信号を間引き、また、助手席側のソース信号については偶数列のソース信号を間引く構成を採用できる。ただし、間引き方はこれに限定するものではなく、１画素を構成するＲ，Ｇ，Ｂの各要素単位に奇数列、偶数列で間引き処理してもよい。間引き処理により圧縮された夫々の映像ソースを列が交互になるように合成処理して最終の映像信号が生成される。
【００４８】
しかし、このように圧縮処理して映像信号を生成するためには圧縮処理を行なうためのハードウェアが必要とされ、部品コストが嵩むばかりか圧縮処理により映像品位が低下するという問題がある。
【００４９】
そこで、本発明では、前記表示部７を構成する表示画素のうち所定の第一方向、ここでは水平方向に沿って配列された表示画素の画素数よりも少ない画素数で構成される映像ソース信号の各画素を前記第一方向に沿って所定間隔で分散配列して前記映像信号を生成する後述の制御手段（図６に符号２００で示される）及びその周辺回路で構成される映像信号生成部を備えている。
【００５０】
図５はＴＦＴ基板１０４の概略を示す回路図である。１１１は表示パネル駆動部、１１２は走査線駆動回路、１１３はデータ線駆動回路、１１４はＴＦＴ素子、１１５〜１１８はデータ線、１１９〜１２１は走査線、１２２は画素電極、１２３はサブピクセルである。
【００５１】
図５に示すように、サブピクセル１２３は各データ線１１５〜１１８及び各走査線１１９〜１２１によって囲まれた領域を一単位とし、複数形成される。各サブピクセルには、液晶層１０５に電圧を印加する画素電極１２２とそれをスイッチング制御するＴＦＴ素子１１４が形成されている。表示パネル駆動部１１１は走査線駆動回路１１２及びデータ線駆動回路１１３の駆動タイミングを制御する。走査線駆動回路１１２はＴＦＴ素子１１４の選択走査を行い、またデータ線駆動回路１１３は画素電極１２２への印加電圧を制御する。
【００５２】
前記複数のサブピクセルは、第１の画像データと第２の画像データの合成データもしくは、第１と第２の個々の画像データに基づいて、例えばデータ線１１５と１１７に第１の画素データ（左側画像表示用）を、またデータ線１１６と１１８に第２の画素データ（右側画像表示用）を送信することよって、第１の画像を表示する第１の画像データ群と第２の画像を表示する第２の画像データ群が形成される。
【００５３】
図６は、本発明に係わる表示装置の概要を示すブロック図であり、いわゆるAudio Visual Navigation 複合機への適用例である。図中、１２４はタッチパネル、２００は制御手段、２０１はＣＤ／ＭＤ再生部、２０２はラジオ受信部、２０３はＴＶ受信部、２０４はＤＶＤ再生、２０５はＨＤ（Hard Disk）再生部、２０６はナビゲーション部、２０７は分配回路、２０８は第１の画像調整回路、２０９は第２の画像調整回路、２１０は音声調整回路、２１１は画像出力部、２１２はＶＩＣＳ情報受信部、２１３はＧＰＳ情報受信部、２１４はセレクタ、２１５は操作部、２１６はリモコン送受信部、２１７はリモコン、２１８はメモリ、２１９は外部音声／映像入力部、２２０はカメラ、２２１は明るさ検知手段、２２２は乗員検知手段、２２３はリア表示部、２２４はＥＴＣ車載器、２２５は通信ユニットである。
【００５４】
表示部７は、タッチパネル１２４、液晶パネル１００及びバックライト１０１から構成される。表示部７の液晶パネル１００は、これまでに述べてきたように、第１視方向として運転席側から見られる画像と、第２視方向として助手席側から見られる画像とを、実質的に同時に表示することが可能となっている。尚、表示部７には、液晶パネル以外のフラットパネルディスレイ、例えば有機ＥＬディスプレイパネル、プラズマディスプレイパネル、冷陰極フラットパネルディスプレイ等を用いることもできる。
【００５５】
制御手段２００は、各種ソース（ＣＤ／ＭＤ再生部２０１、ラジオ受信部２０２、ＴＶ受信部２０３、ＤＶＤ再生部２０４、ＨＤ再生部２０５及びナビゲーション部２０６）からの画像や音声は、制御手段２００からの指示に基づき左用に指定された映像ソースを２０８に、右用に指定されたソースを２０９に分配させる分配回路２０７を介して、画像であれば第１の画像調整回路２０８及び第２の画像調整回路２０９に、音声であれば音声調整回路２１０にそれぞれ分配される。そして、第１及び第２の画像調整回路２０８、２０９では、輝度や色調、コントラストなどが調整され、調整された各画像を画像出力部２１１にて、表示部７に表示させる。また音声調整回路２１０では各スピーカへの分配や音量、音声が調整され、調整された音声が、スピーカ１６から出力される。
【００５６】
上述の映像信号生成部について詳述すると、制御手段２００は、先ず、左側（助手席側）に表示させる画素サイズ４００×２３４のＥＧＡに対応する第１の映像ソースを第１の画像調整回路２０８に供給し、右側（運転席側）に表示させる画素サイズ４００×２３４のＥＧＡに対応する第２の映像ソースを第２の画像調整回路２０９に供給するように分配回路２０７を切り替える。次に、第１の画像調整回路２０８及び第２の画像調整回路２０９により、夫々の映像ソースを構成する画素を第一方向である水平方向に一画素間隔を空けて配列させるとともに、第二方向である垂直方向に所定間隔を空けて配列させ、さらに、垂直方向に配列された画素間に上下に隣接する所定数の画素から生成された補間画素を充填配列させる。このようにして生成された両映像ソースが画像出力部２１１に出力され、画像出力部２１１で水平方向に一列毎に交互に配置されるように合成処理されて、画素サイズ８００×４００のＶＧＡに対応した映像信号が生成される。
【００５７】
つまり、映像信号生成部は、表示部７を構成する表示画素のうち所定の第一方向、つまり、視差バリア１０８により映像が分離される水平方向に沿って配列された表示画素の画素数の１／ｎ（ｎ：視方向の数で、正の整数であり、ここではｎ＝２）以下の画素数で構成される映像ソース信号の各画素を前記第一方向に沿って所定間隔で分散配列して前記映像信号を生成するのである。その結果、映像信号の水平方向に配列される画素は映像ソースの４００画素が間引き処理されることなくそのまま利用されることになり、垂直方向に配列される画素は映像ソースの２３０画素がそのまま利用され、さらに補間画素を含めて４００画素になるように拡大処理されるので、縦横比も一定に維持されるようになる。
【００５８】
ここで、映像信号生成部は、表示部７を構成する表示画素のうち所定の第一方向に沿って配列された表示画素の画素数よりも少ない画素数で構成される映像ソース信号の各画素を前記第一方向に沿って所定間隔で分散配列して前記映像信号を生成し、または、前記表示部を構成する表示画素のうち所定の第一方向に沿って配列された表示画素の画素数以上の画素数で構成される映像ソース信号の各画素を前記第一方向に沿って圧縮処理した後に所定間隔で分散配列して前記映像信号を生成するように切替可能に構成されるものであってもよい。この場合、映像ソース信号の構成画素数に応じて圧縮処理すべきか否かを判別する判別部を備え、その結果に基づいて第１の画像調整回路２０８及び第２の画像調整回路２０９における処理を切り替えるように構成すればよい。
【００５９】
さらに、前記映像信号生成部は、二系統の映像ソース信号の水平方向に沿った各画素を所定順序で交互に配列し、各画素の三原色成分が対応する表示画素の三原色成分の配列に対応するように配列することにより、合成画像である映像信号の配色を元の映像ソース信号の配色と同一になるように構成されている。この点に関しては後の実施形態で詳述する。
【００６０】
図７は画像出力部２１１の概略を示すブロック図である。図中、２２６は第一の書込回路、２２７は第二の書込回路、２２８はＶＲＡＭ（Video RAM）である。
【００６１】
画像出力部２１１は、例えば図７に示すように、第１の書込回路２２６と第２の書込回路２２７とＶＲＡＭ（Video RAM）２２８と表示パネル駆動部１１１とを備えている。例えば、第１の書込回路２２６は、調整された画像データのうち２０８から出力される画像の奇数列に対応する画像データ（即ち、図１の第１の表示画像８用の画像データ）を、第２の書込回路２２７は２０９から出力される偶数列に対応する画像データ（即ち、図１の第２の表示画像９用の画像データ）をもとにし、それぞれＶＲＡＭ２２８における該当する領域に書き込む。また表示パネル駆動部１１１は液晶パネル１００を駆動する回路であり、ＶＲＡＭ２２８に保持されている画像データ（第１の画像データと第２の画像データの合成データ）に基づいて、液晶表示パネル１００の対応する画素を駆動する。尚、ＶＲＡＭ２２８には第１の画像データと第２の画像データの合成されたマルチビュー表示用の画像に対応するように画像データの書き込みが行われているので、駆動回路は１つでよく、その動作も通常の液晶表示装置の駆動回路の動作と同じである。また別の構成として、第１の画像データと第２の画像データを合成せずに、それぞれの画像データに基づいて、液晶表示パネルの対応する画素を駆動する第１の表示パネル駆動回路及び第２の表示パネル駆動回路を用いることも考えられる。
【００６２】
ここで、図６で示した各種ソースの一例について説明をすると、ＨＤ再生部２０５を選択した場合、ハードディスク（ＨＤ）に記憶されたＭＰ３ファイル等の音楽データやＪＰＥＧファイル等の画像データ、ナビゲーション用の地図データ等が読み出され、音楽データを選択するためのメニュー表示や画像データを表示部７に表示させることができる。
【００６３】
ナビゲーション部２０６は、ナビゲーションの為に利用される地図情報を記憶した地図情報記憶部を備え、ＶＩＣＳ情報受信部２１２、ＧＰＳ情報受信部２１３から情報を入手し、ナビゲーション動作の為の画像を作成し、表示させることができる。またＴＶ受信部２０３は、アンテナからセレクタ２１４を介して、アナログＴＶ放送波及びデジタルＴＶ放送波を受信する。
【００６４】
図８は制御手段２００の概略を示すブロック図である。図中、２２９はインターフェース、２３０はＣＰＵ、２３１は記憶部、２３２はデータ記憶部である。
【００６５】
尚、制御手段２００は分配回路２０７並びに各種ソースを制御し、選択された２つのソースもしくは１つのソースについて表示を行わせる。また制御手段２００は、これら各種ソースをコントロールするための操作メニュー表示を表示部７に表示させることも行っている。ここで、図８で示すように、制御手段２００はマイクロプロセッサなどで構成され、インターフェース２２９を介して、表示装置内の各部や各回路を統括的に制御しているＣＰＵ２３０を備えている。このＣＰＵ２３０には、表示装置の動作に必要な各種のプログラムを保持するＲＯＭからなるプログラム記憶部２３１と、各種のデータを保持するＲＡＭからなるデータ記憶部２３２とが設けられている。なお、ＲＯＭやＲＡＭ等は、ＣＰＵに内蔵されたものでも、外部に設けたものでも使用することが可能である。又、ＲＯＭはフラッシュメモリの様に電気的に書き換え可能な不揮発性メモリでもよい。
【００６６】
ユーザは、上記各種ソースのコントロールを、表示部７の表面に取り付けられているタッチパネル１２４や表示部７の周囲に設けられたスイッチ、もしくは音声認識等の入力操作や選択操作を操作部２１５によって行うことができる。またリモコン送受信部２１６を介して、リモコン２１７により入力もしくは選択操作をしてもよい。制御手段２００は、このタッチパネル１２４や操作部２１５の操作に従って、各種ソースを含めた制御を行っている。また、制御手段２００は、図２のように車両内に複数備え付けられたスピーカ１６の各音量等を、音声調整回路２１０を用いて制御することができるように構成されている。また制御手段２００は、メモリ２１８に画質設定情報やプログラム、車両情報等の各種設定情報を記憶させることも行っている。
【００６７】
図９はメモリ２１８の概略を示すブロック図である。図中、２３３は第１の画面ＲＡＭ、２３４は第２の画面ＲＡＭ２３４、２３５は画質設定情報記憶手段、２３６は対環境調整値保持手段である。
【００６８】
メモリ２１８は、例えば図９に示すように、使用者が設定した第１の画像および第２の画像の画質の調整値がそれぞれ書き込み可能な第１の画面ＲＡＭ２３３および第２の画面ＲＡＭ２３４を有する。また、第１の画像及び第２の画像の画質を調整する場合に、読み出すことができるプリセット値として各画質調整用に予め複数段階の画質調整値が記憶されている画質設定情報記憶手段２３５も有する。さらに車外の明るさ変化等の周囲環境変化に応じた画質を調整するために、周囲環境に対する第１の映像及び第２の映像の画質の調整値を保持する対環境調整値保持手段２３６を有している。ここで画質設定情報記憶手段２３５及び対環境調整値保持手段２３６は、フラッシュメモリなどの電気的書き換え可能不揮発性メモリ又はバッテリバックアップされた揮発性メモリにより構成される。
【００６９】
外部音声／画像入力部２１９に接続された、例えば後方監視用のカメラ２２０からの画像を表示部７に表示するようにしてもよい。なお、後方監視用カメラ２２０以外に、ビデオカメラ及びゲーム機等を外部音声／画像入力部２１９に接続してもよい。
【００７０】
制御手段２００は、明るさ検知手段２２１（例えば、車両のライトスイッチや光センサ）や乗員検知手段２２２（例えば、運転席や助手席に設けられる感圧センサ）により検知された情報を元に、音声の定位位置等の設定を変更させることが可能である。
【００７１】
２２３は車両の後席用に設けられたリア表示部であり、画像出力部２１１を介して、表示部７に表示される画像と同じもの、もしくは運転席用の画像か助手席用の画像の一方が表示可能である。
【００７２】
制御手段２００は、ＥＴＣ車載器２５０からの料金表示等を表示させることを行っている。また制御手段２００は、携帯電話などと無線接続するための通信ユニット２２５を制御し、これに関する表示がされるようにしてもよい。
【００７３】
以下に、本発明による表示装置をさらに詳述する。尚、以下の実施形態は、図６に示した表示装置のハードウェア構成をベースに要部を機能単位にアレンジした図１１のブロック構成図に基づいて説明する。
【００７４】
図１１に示すように、車両を目的地に誘導するナビゲーション装置Ｎと、地上波デジタル放送を受信する電波受信装置３０２と、前記ナビゲーション装置Ｎ及び前記電波受信装置３０２による表示画像を同時に表示可能なマルチビュー表示装置（以下、単に「表示装置」と記す。）３４０と、セキュリティ用の撮像素子３３０等が車両に搭載されている。
【００７５】
前記ナビゲーション装置Ｎは、道路地図データを記憶した地図データ記憶手段３０５と、自車の位置情報を認識するＧＰＳ受信手段３０６と、ＧＰＳアンテナ３０６ａと、自車の走行状態を管理する自律航法手段３０７と、地図データに基づいて指定された目的地までの経路を探索する経路探索手段３０８と、地図上に自車の走行位置を表示する走行状態表示処理手段３０９と、各種の動作モードや動作条件を設定する操作部３２６等を備えて構成され、単一または複数のＣＰＵとその動作プログラムが格納されたＲＯＭ及びワーキングエリアに使用されるＲＡＭを備えて各ブロックが制御されるように構成され、指定された地点に自車を誘導するナビゲーション機能を有している。
【００７６】
前記電波受信装置３０２は、受信アンテナ３２０と、前記受信アンテナ３２０を介して受信された伝送チャンネル（周波数帯域）を選局するチューナ３２１と、選局された受信信号からデジタル信号を取り出して誤り訂正処理を行ないＴＳ（トランスポートストリーム）パケットを出力するＯＦＤＭ復調部３２２と、ＴＳパケットのうち映像・音声パケットから音声信号を復号してスピーカ３２４に出力するとともに、映像信号を復号して表示部３２５に出力するデコーダ３２３を備えたデジタルテレビ受信機で構成されている。
【００７７】
前記撮像素子３３０は車両に複数配置され、車両外に配置された撮像素子３３０ａ、３３０ｂ、３３０ｃは、バックモニターや車間距離計測用に用いることが可能となっている。
【００７８】
前記ナビゲーション装置Ｎと前記電波受信装置２と前記撮像素子３３０は、例えば、それぞれ４００（水平）×２３４（垂直）画素に対応したソース信号を出力し、前記表示装置３４０に入力することにより、映像を表示することが可能な構成となっている。
【００７９】
前記表示装置３４０は、運転者席側と助手席側に異なる映像を表示することが可能なマルチビュー表示部（以下、単に、「表示部」と記す。）３２５と、前記表示部３２５が表示する映像のソース信号に所定の処理を行ない前記表示部３２５に前記ソース信号を出力するソース信号変換部３５０と、前記出力するソース信号を外部から選択操作する操作部３４８とを備えて構成されている。
【００８０】
前記表示部３２５は、図１２に示すように、ＴＦＴアレイ９１６を形成したＴＦＴ基板９１２とそれに対向して配置される対向基板９１４の間に液晶層９１３を挟持した一対の基板を２枚の偏光板９１１の間に配置した液晶パネル９３０と、視方向制御部となるマイクロレンズと遮光スリットを形成した視差バリア層９１５を形成した視差バリア基板９１７とを一体形成して構成されている。
【００８１】
前記ＴＦＴアレイ９１６は、図１３に示すように、データ線９２５と走査線９２４によって囲まれた領域を一単位とする複数のサブピクセルが形成され、各サブピクセルには液晶層９１３に電圧を印加する画素電極９２３と、それをスイッチング制御するＴＦＴ素子９２２が形成されている。走査線駆動回路９２１はＴＦＴ素子９２２の選択走査を行い、またデータ線駆動回路９２０は、画素電極９２３への印加電圧を制御する。制御回路９２６は走査線駆動回路９２１及びデータ線駆動回路９２０の駆動タイミングを制御する。
【００８２】
前記複数のサブピクセルは、一列置き（一データ線置き）に配列（奇数列と偶数列に分類）された第一のサブピクセル群と第二のサブピクセル群の二つのサブピクセル群で形成され、それぞれはソースの異なる映像信号に基づいて別々に駆動される。前記二つのサブピクセル群を通過した光は、それぞれ視差バリア層９１５によって異なる方向へ導かれ、或いは、特定方向の光は遮光されるため、空間上の表示面９１８近傍に限って、異なる方向へ異なる映像を表示することが可能となっている。つまり、２つの方向へ異なる映像を同時に表示することが可能な構成となっている。
【００８３】
前記サブピクセルは、カラーフィルタ等を備えることにより、Ｒ、Ｇ、Ｂといった何れかの三原色を表示する構成となっている。また、図１４に示すようにその配列は、第一方向である水平方向にＲ、Ｇ、Ｂを交互に配置し、第二方向である垂直方向に同一色を配置するストライプ配列として構成されている。
【００８４】
前記第一のサブピクセル群と前記第二のサブピクセル群は、各サブピクセル群内で、前記水平方向に連続する３サブピクセルを１単位とすることで三原色を備える１画素を構成している。また、前記第一のサブピクセル群と前記第二のサブピクセル群は、夫々前記第一方向である水平方向に４００列の画素（１２００列のサブピクセル）、前記第二方向である垂直方向に２３４行の画素（２３４行のサブピクセル）を備えて構成されている。つまり、前記表示部２５は、８００×２３４の画素で構成され、第一のサブピクセル群、つまり、第一の画素群により４００画素×２３４画素の映像を表示し、第二のサブピクセル群、つまり、第二の画素群により４００画素×２３４画素の映像を表示する。
【００８５】
前記表示部３２５は、運転者席と助手席の中央部のフロントパネルに設置され、運転者席側から観察される映像と助手席側から観察される映像が異なるように表示することが可能な構成となっている。例えば、助手席側では前記電波受信装置２からの映像情報が観察される一方で、運転者席側では前記ナビゲーション装置Ｎのディスプレイとして使用が可能となっている。
【００８６】
図１１に戻り、前記ソース信号変換部３５０は、前記操作部３４８によって複数のソース信号から選択された運転者席側と助手席側に映像表示するソース信号を選択するソース信号選択出力部３５１と、前記ソース信号選択出力部３５１によって選択された前記ソース信号を構成する画素データが前記表示部３２５のサブピクセル配列または画素配列に対応するように配列し直して前記表示部３２５に入力する映像信号生成部３５２と、前記表示部３２５のサブピクセル配列及び画素配列についての情報が格納されている画素配列記憶部３５３とを備えて構成されている。
【００８７】
以下に、前記ソース信号変換部３５０の動作について図１５に示すフローチャートに基づいて説明する。
【００８８】
前記操作部３４８により前記表示部３２５に表示する運転席側と助手席側に表示する映像が選択されると、前記ソース信号選択出力部３５１は、選択された映像に対応する夫々のソース信号を選択する（ＳＡ１）。
【００８９】
前記映像信号生成部３５２は、画素配列記憶部５３に格納されている前記表示部３２５のサブピクセル配列及び画素配列情報を参照し（ＳＡ２）、前記サブピクセル配列及び前記画素配列情報に対応するように、前記選択されたソース信号を構成する画素データを配列するとともに（ＳＡ３）、前記画素データの三原色成分を配列した映像信号を出力する（ＳＡ４、ＳＡ５）。
【００９０】
例えば、図１４に示すように、前記表示部３２５の第一方向である水平方向において、サブピクセル配列は、Ｒ、Ｇ、Ｂの順に繰り返し配列されているにもかかわらず、第一のサブピクセル群（画素群）及び第二のサブピクセル群におけるサブピクセル配列は、Ｒ、Ｂ、Ｇの順で配列する構成となっている。更には、第一のサブピクセル群では１列目のサブピクセルはＲから始まるにもかかわらず、第二のサブピクセル群では１列目はＧから始まる。前記映像信号生成部３５２は、このＲ、Ｇ、Ｂのサブピクセルに対応するように前記画素データの三原色成分を配列して出力する。つまり、確実にＲのサブピクセルにはＲ用の画素データが入力され、ＧのサブピクセルにはＧ用の画素データが入力され、ＢのサブピクセルにはＢ用の画素データが入力されるように配列して出力する。また、確実に各サブピクセル群内で連続したＲ、Ｇ、Ｂの３サブピクセルで１画素の映像となるように、画素データが入力されるように配列して映像信号を出力する。
【００９１】
このとき、運転席側に表示する映像と助手席側に表示する映像の２つのソース信号が配列処理されているため、第一方向である水平方向に対応する映像信号は、１つのソース信号と比較すると２倍に伸長されている。つまり２倍の水平解像度を有している。しかし、前記表示部３２５の水平方向の画素はこれに対応できる画素数を備えているため、間引き処理を行なう必要がない構成となっている。
【００９２】
以下に別の実施形態について説明する。前述した表示部３２５の備える画素数を８００×４６８とした第二の実施形態について図１６のフローチャートに基づいて説明する。尚、第一のサブピクセル群及び第二のサブピクセル群の配置、サブピクセルにおけるＲ、Ｇ、Ｂ配列（ストライプ配列）は第一の実施形態と同様に構成されている。
【００９３】
前記操作部３４８により前記表示部３２５に表示する運転者席側と助手席側に表示する映像が選択されると、前記ソース信号選択出力部３５１は、選択された映像に対応する夫々のソース信号を選択する（ＳＢ１）。
【００９４】
前記映像信号生成部３５２は、画素配列記憶部３５３に格納されている前記表示部３２５のサブピクセル配列及び画素配列情報を参照し（ＳＢ２）、前記サブピクセル配列及び前記画素配列情報に対応するように、前記選択されたソース信号を構成する画素データを配列するとともに（ＳＢ３）、前記画素データの三原色成分を配列する（ＳＢ４）。
【００９５】
例えば、第一の実施形態と同様に、前記表示部３２５の第一方向である水平方向において、Ｒ、Ｇ、Ｂのサブピクセルに対応するように前記画素データの三原色成分を配列することで、確実にＲのサブピクセルにはＲ用の画素データが入力され、ＧのサブピクセルにはＧ用の画素データが入力され、ＢのサブピクセルにはＢ用の画素データが入力されるように配列する。また、確実に各サブピクセル群内で連続したＲ、Ｇ、Ｂの３サブピクセルで１画素の映像となるように、画素データが入力されるように配列する。
【００９６】
また、前記映像信号生成部３５２は、前記表示部３２５の第二方向である垂直方向において、前記配列したソース信号を前記サブピクセルの奇数行に対応するように出力し（ＳＢ５）、偶数行には、当該偶数行の前後を構成する奇数行に出力するソース信号に基づいて補間ソース信号を生成して出力する（ＳＢ６、ＳＢ７）。
【００９７】
例えば、偶数行の各サブピクセルの前行と後行を構成するサブピクセルに出力されるソース信号の平均値を演算導出することにより、この平均値を当該偶数行を構成する各サブピクセルの補間ソース信号とし出力する。詳述すると、図１７に示すように、一方のソース信号を構成する画素のサブピクセルが水平方向にＰ１１１，Ｐ１１２，Ｐ１１３，・・・と配列され、垂直方向にＰ１１１，Ｐ１２１，Ｐ１３１，・・・と配列されているときに、映像信号生成部３５２は、最初の偶数行のサブピクセルの値Ｐ´１１１として上側に配列される画素Ｐ１１１と下側に配列される画素Ｐ１２１の相加平均値を割り当てる。同様に他方のソース信号を構成する画素のサブピクセルが水平方向にＰ２１１，Ｐ２１２，Ｐ２１３，・・・と配列され、垂直方向にＰ２１１，Ｐ２２１，Ｐ２３１，・・・と配列されているときに、映像信号生成部３５２は、最初の偶数行のサブピクセルの値Ｐ´２１１として上側に配列される画素Ｐ２１１と下側に配列される画素Ｐ２２１の相加平均値を割り当てるのである。同様にして他の偶数行のサブピクセルの値を演算導出して映像信号を生成するのである。
【００９８】
尚、これは一例であり、偶数行の各サブピクセルの前行或いは後行を構成するサブピクセルに出力されるソース信号をそのまま当該偶数行を構成する各サブピクセルの補間ソース信号とし出力してもよい。また、画素サイズが整数倍でないときであっても、補間が必要な画素である補間ソース信号を上述の方法で演算導出することができ、適宜、公知の技術を用いることにより補間ソース信号を生成し出力することができる。
【００９９】
このとき、運転席側に表示する映像と助手席側に表示する映像の２つのソース信号が配列処理されているため、第一方向である水平方向に対応する映像信号は、１つのソース信号と比較すると２倍に伸長されている。つまり、２倍の水平解像度を有している。しかし、前記表示部３２５の水平方向の画素はこれに対応できる画素数を備えているため、間引き処理を行なう必要がない構成となっている。
【０１００】
また、補間ソース信号を偶数行に出力しているため、第二方向である垂直方向に対応する映像信号も１つのソース信号と比較すると２倍に伸長されている。つまり、運転者席側に表示される映像と助手席側に表示される映像はともに、ソース信号と比較しその縦横比の変動が生じない構成となっている。
【０１０１】
尚、偶数行にソース信号を出力し、奇数行に当該奇数行の前後を構成する遇数行に出力するソース信号に基づいて補間ソース信号を生成して出力する構成としてもよい。
【０１０２】
具体例として、上述した映像信号生成部３５２によりナビゲーション装置Ｎから出力された映像ソースである地図データから生成された映像を図１８に示す。ナビゲーション装置Ｎから出力される４００×２３４画素のＶＧＡに対応する映像ソース（図１８の上段に示す映像）が運転席側の映像ソース信号として選択されたとき、この映像をＥＧＡに対応する８００×４００画素の表示部３２５（図１８中の下段に示す枠）に出力する場合に、映像ソースである地図データは水平方向に圧縮されること無く、また、垂直方向に伸長処理されて、図１８の中段に示すような映像が生成されるのである。
【０１０３】
これに対して、図２０に示すように、同図上段に示したＥＧＡに対応する８００×４００画素の映像ソースを、その下に示す同サイズの表示部３２５に表示する場合には、さらにその下段に示すように水平方向に１／２に圧縮処理されることとなり、水平方向の解像度が低下する。
【０１０４】
上述した実施形態では、前記表示部３２５が運転者席側と助手席側の２方向に同時に異なる映像を表示する場合について説明したが、３方向以上に同時に異なる映像を表示するマルチビュー表示部にも適応可能である。
【０１０５】
前記表示部の構成を同時に表示可能な異なる映像の数、つまり視方向の数をｎとし、ｎ／３が整数でないときには、前記第一方向である水平方向にｎ−１に相当するサブピクセル置きに、各方向に映像を表示するサブピクセル群を配置したものとすればよい。この場合、前記各サブピクセル群は夫々Ｒ、Ｇ、Ｂを構成するサブピクセルを備えるように配置されるため、前記ソース信号変換部３５０により出力されるソース信号或いはソース補間信号からなる映像信号を前記サブピクセルに対応させることが可能となる。つまり、確実にＲのサブピクセルにはＲ用の画素データが入力され、ＧのサブピクセルにはＧ用の画素データが入力され、ＢのサブピクセルにはＢ用の画素データが入力されるように配列して出力することが可能となる。
【０１０６】
前記表示部の構成を同時に表示可能な異なる映像の数、つまり視方向の数をｎとし、ｎ／３が整数のときには、前記第一方向である水平方向に３ｎ／３に相当するサブピクセル置きに、各方向に映像を表示するサブピクセル群を配置したものとすればよい。この場合、前記各サブピクセル群は夫々Ｒ、Ｇ、Ｂを構成するサブピクセルを備えるように配置されるため、前記ソース信号変換部５０により出力されるソース信号或いはソース補間信号からなる映像信号を前記サブピクセルに対応させることが可能となる。つまり、確実にＲのサブピクセルにはＲ用の画素データが入力され、ＧのサブピクセルにはＧ用の画素データが入力され、ＢのサブピクセルにはＢ用の画素データが入力されるように配列して出力することが可能となる。
【０１０７】
このとき、前記表示部３２５には、第一方向である水平方向には各ソース信号の有する水平解像度のｎ倍以上の数の画素を構成すればよい。また、第二方向である垂直方向には、各ソース信号の有する垂直解像度のｎ倍以上の数の画素を構成することが好ましい。この場合、ｎ−１行置きに前記各ソース信号を配列した映像信号を出力し、その間の行には、公知の技術を用いて補間ソース信号を生成した映像信号を出力することが望ましい。
【０１０８】
上述した実施形態では、Ｒ、Ｇ、Ｂの配列をストライプ配列としたが、図１９（ａ）のようなダイアゴナル配列や、図１９（ｂ）のようなデルタ配列としてもよい。このとき補間ソース信号は、前行或いは後行における近接列の同色を構成するサブピクセルへ出力するソース信号を用いて生成すればよい。
【０１０９】
上述した実施形態では、ソース信号を４００×２３４画素とし、表示部３２５を８００×２３４画素或いは８００×４６８画素とする構成について説明したが、各解像度はこれに限定されるものではなく、少なくとも、表示部２５の水平解像度がソース信号の水平解像度よりも大きければ良い。
【０１１０】
上述した実施形態では第一方向を水平方向、第二方向を垂直方向としたが、これは、視差バリアにより映像が分離される方向を第一方向とするものであり、視差バリアにより映像が分離される方向が垂直方向であれば、第一方向を垂直方向、第二方向を水平方向としてもよい。
【０１１１】
上述した実施形態では、表示装置として特開２００４−２０６０８９号公報に記載されたような液晶パネルを用いた場合について説明したが、これに限定されるものではなく、特開２００３−１５５３５号公報に記載されたような構成を採用するもの等の他、有機ＥＬやプラズマディスプレイ、ＣＲＴ、ＳＥＤ等を用いて構成されたマルチビュー表示装置一般に対しても同様に適用することができる。
【図面の簡単な説明】
【０１１２】
【図１】本発明に係る表示装置の概念図
【図２】表示装置の搭載例を示す斜視図
【図３】表示部の断面構造の概略図
【図４】表示パネルを正面から見た構造の概略図
【図５】ＴＦＴ基板の概略を示す回路図
【図６】本発明に係る表示装置の概略を示すブロック図
【図７】画像出力部２１１の概略を示すブロック図
【図８】制御手段２００の概略を示すブロック図
【図９】メモリ２１８の概略を示すブロック図
【図１０】二系統の映像信号から表示部に表示される映像信号の生成手順を示す説明図
【図１１】本発明のマルチビュー表示装置を車両に搭載したカーナビゲーションに用いた場合のブロック構成図
【図１２】マルチビュー表示部の説明図
【図１３】液晶パネルの説明図
【図１４】Ｒ、Ｇ、Ｂ成分の配置の説明図
【図１５】第一の実施形態におけるソース信号変換部の動作を説明するフローチャート
【図１６】第二の実施形態におけるソース信号変換部の動作を説明するフローチャート
【図１７】補間画素の生成手順の説明図
【図１８】本発明による映像信号の説明図
【図１９】Ｒ、Ｇ、Ｂ成分の配置の説明図
【図２０】従来技術による映像信号の説明図
【図２１】従来技術における映像ソース信号の間引き処理の説明図
【符号の説明】
【０１１３】
１：第１の映像ソース、２：第２の映像ソース、３：第１の画像データ、４：第２の画像データ、５：表示制御部、６：表示データ、７：表示部、８：第１の表示画像、９：第２の表示画像、１０：観察者、１１：観察者、１２：助手席、１３：運転席、１４：ウインドシールド、１５：操作部、１６：スピーカ、
１００：液晶パネル、１０１：バックライト、１０２：偏光板、１０３：偏光板、１０４：ＴＦＴ基板、１０５：液晶層、１０６：カラーフィルタ基板、１０７：ガラス基板、１０８：視差バリア、１０９：左側（助手席側）表示用の画素、１１０：右側（運転席側）表示用の画素、１１１：表示パネル駆動部、
１１２：走査線駆動回路、１１３：データ線駆動回路、１１４：ＴＦＴ素子、１１５〜１１８：データ線、１１９〜１２１：走査線、１２２：画素電極、１２３：サブピクセル、１２４：タッチパネル、２００：制御部、２０１：ＣＤ／ＭＤ再生部、２０２：ラジオ受信部、２０３：ＴＶ受信部、２０４：ＤＶＤ再生部、２０５：ＨＤ（Hard Disk）再生部、２０６：ナビゲーション部、２０７：分配回路、２０８：第１の画像調整回路、２０９：第２の画像調整回路、２１０：音声調整回路、２１１：画像出力部、２１２：ＶＩＣＳ情報受信部、２１３：ＧＰＳ情報受信部、２１４：セレクタ、２１５：操作部、２１６：リモコン送受信部、２１７：リモコン、２１８：メモリ、２１９：外部音声／映像入力部、２２０：カメラ、２２１：明るさ検知手段、２２２：乗員検知手段、２２３：リア表示部、２２４：ＥＴＣ車載器、２２５：通信ユニット、２２６：第１の書込回路、
２２７：第２の書込回路、２２８：ＶＲＡＭ（Video RAM）、２２９：インターフェース、２３０：ＣＰＵ、２３１：記憶部、２３２：データ記憶部、２３３：第１の画面ＲＡＭ、２３４：第２の画面ＲＡＭ２３４、２３５：画質設定情報記憶手段、２３６：対環境調整値保持手段、３２５：表示部、３３０：撮像素子、３４０：表示装置、３４８：操作部、３５０：ソース信号変換部、３５１：ソース信号選択出力部、３５２：映像信号生成部、３５３：画素配列記憶部
【図１】
2006195415.tif 000003
【図２】
2006195415.tif 000004
【図５】
2006195415.tif 000005
【図６】
2006195415.tif 000006
【図７】
2006195415.tif 000007
【図８】
2006195415.tif 000008
【図９】
2006195415.tif 000009
【図１０】
2006195415.tif 000010
【図１１】
2006195415.tif 000011
【図１３】
2006195415.tif 000012
【図１４】
2006195415.tif 000013
【図１５】
2006195415.tif 000014
【図１６】
2006195415.tif 000015
【図１７】
2006195415.tif 000016
【図１９】
2006195415.tif 000017
【図２１】
2006195415.tif 000018
【図３】
2006195415.tif 000019
【図４】
2006195415.tif 000020
【図１２】
2006195415.tif 000021
【図１８】
2006195415.tif 000022
【図２０】
2006195415.tif 000023